(57)【要約】      （修正有）【課題】構造が簡単で、持ち運びも容易であり、タブレットのタッチスクリーンを保護できる、スピーカー付きタブレットパソコン用ケースを提供する。【解決手段】スピーカ筐体１がタブレット２の正面に係合部材によって係合する。係合部材は、Ｌ字形状の第１係合部１１１と第２係合部１１２とからなり、第１係合部１１１がタブレット２の側縁を押し付け、第２係合部１１２がタブレット２の背面を押し付けて係合する。スピーカ筐体１内には、スピーカの機能を実現するために、タブレット２と通信接続するスピーカ構成部品を配置する。【選択図】図３
2015181232.tif 000002
【特許請求の範囲】
【請求項１】
スピーカ筐体（1）を備えるスピーカー付きタブレット用ケースであって、
前記スピーカ筐体（1）がタブレット（2）正面に係合し、
前記スピーカ筐体（1）内に、スピーカの機能を実現するためのタブレットと通信接続するスピーカ構成部品が配置されている
ことを特徴とするスピーカー付きタブレット用ケース。
【請求項２】
前記スピーカ筐体（1）を前記タブレット（2）に係合するため、前記スピーカ筐体に係合部材（１１）が設けられている
ことを特徴とする、請求項1に記載のスピーカー付きタブレット用ケース。
【請求項３】
前記係合部材（11）は、L字形状に設計されている第1係合部（111）と第2係合部（112）を備え、
前記第1係合部（111）が、前記タブレットの側縁を押し付けるように、前記スピーカ筐体（1）の側縁に設置され、
第2係合部（112）が、前記タブレット（2）の背面を押し付けて、第1係合部（111）と第2係合部（112）と合わせて、スピーカ筐体（1）をタブレット（2）に係合できるように構成されている
ことを特徴とする、請求項2に記載のスピーカー付きタブレット用ケース。
【請求項４】
前記タブレット（2）の正面には、第1磁性体が設けられ、
前記スピーカ筐体（1）の前記第1磁性体に対応する位置に、前記第１磁性体と吸引できる第2磁性体（12）が設けられている
ことを特徴とする、請求項1に記載のスピーカー付きタブレット用ケース。
【請求項５】
複数のスピーカ穴（13）が、前記スピーカ筐体（1）に配置されており、
エコーを形成するためにスピーカ穴（13）に対応する折り畳み式支持フレーム（14）が、前記スピーカ筐体（1）に配置されている
ことを特徴とする、請求項1に記載のスピーカー付きタブレット用ケース。
【請求項６】
前記折り畳み式支持フレーム（14）は、
前記スピーカ筐体（1）に固定されているヒンジ（141）、及び
前記ヒンジ（141）を中心として回転する板状の支持板（142）を備えて、
前記支持板（142）が、前記スピーカ穴（13）に対応してエコーが形成できるように構成されている
ことを特徴とする、請求項5に記載のスピーカー付きタブレット用ケース。
【請求項７】
前記折り畳み式支持フレーム（14）の開閉に応じてスピーカの電源を制御するためのスイッチング機構（15）が、前記スピーカ筐体（1）に設けられている
ことを特徴とする、請求項5に記載のスピーカー付きタブレット用ケース。
【請求項８】
前記スイッチング機構（15）は、前記スピーカ筐体（1）と前記折り畳み式支持フレーム（14）の間に設置されている微型スイッチを備え
前記微型スイッチは前記スピーカ構成部品に接続されている
ことを特徴とする、請求項7に記載のスピーカー付きタブレット用ケース。
【請求項９】
前記スイッチング機構（15）は、前記スピーカ筐体（1）と前記折り畳み式支持フレーム（14）の間に設置されているセンサユニットを備え、
前記センサユニットが前記スピーカ構成部品に接続されている
ことを特徴とする、請求項7に記載のスピーカー付きタブレット用ケース。
【請求項１０】
前記センサユニットは、感光性センサ、磁気センサ、近接センサの少なくとも１つである
ことを特徴とする、請求項9に記載のスピーカー付きタブレット用ケース。
【発明の詳細な説明】
【技術分野】
【０００１】
本発明はタブレットパソコンのケース関連製品に関し、特にスピーカー付きタブレット用ケースに関するものである。
【背景技術】
【０００２】
技術の発展に伴い、小さくて持ち運びに便利な機能を備えるタブレットパソコンは、より多くのユーザーに好まれている。タブレットパソコンは、タッチスクリーンを基本的な入力装置とするデバイスであり、従来のキーボードやマウスを必要とすることなく、タッチペンやデジタルペンを介して入力でき、持ち運びに便利で、人々にインターネット、画像撮影、オーディオとビデオの再生などの機能を提供するため、特にアウトドア愛好家やビジネスマンなどの多くの人々に好まれている。
【０００３】
しかし、タブレットパソコンのタッチスクリーンは、持ち運びの際にほかの物とぶつかって時々破損し、タブレットパソコンの通常の作業に影響を与える。しかも、タブレットパソコンが、オーディオおよびビデオを再生するために使用される場合、スピーカの音が小さすぎで、再生されるオーディオおよびビデオがよく聴き取れなく、再生されるオーディオとビデオの音を増幅するため、外部スピーカがUSBによって接続されることが多いが、外部スピーカは、持ち運びに非常に不便である。
【発明の概要】
【発明が解決しようとする課題】
【０００４】
本発明は以上の問題点に鑑みてなされたものであり、スピーカー付きタブレット用ケースを提供することを目的とする。
【課題を解決するための手段】
【０００５】
上記の課題を解決するために、本発明に係るスピーカー付きタブレット用ケースは、タブレット正面に係合するスピーカ筐体を備える。上記スピーカ筐体内には、スピーカの機能を実現するためのタブレットと通信接続するスピーカ構成部品が配置されている。
【０００６】
好ましくは、上記スピーカ筐体を上記タブレットに係合するために、上記スピーカ筐体に係合部材が設けられている。
好ましくは、上記係合部材は、L字形状に設計された第1係合部と第2係合部を備え、上記第1係合部が、上記タブレットの側縁を押し付けるように、前記スピーカ筐体の側縁に設置されて、第2係合部は、タブレット2の背面を押し付けて、第1係合部と第2係合部と合わせて、スピーカ筐体1をタブレット2係合できるように構成されている。
【０００７】
好ましくは、上記タブレットの正面には、第1磁性体が設けられ、前記スピーカ筐体の第1磁性体に対応する位置には、第１磁性体と吸引できる第2磁性体が設けられている。
好ましくは、複数のスピーカ穴が、前記スピーカ筐体に配置されており、エコーを形成するためにスピーカ穴に対応する折り畳み式支持フレームが、上記スピーカ筐体に配置されている。
【０００８】
好ましくは、折り畳み式支持フレームは、上記スピーカ筐体に固定されているヒンジ、及び上記ヒンジを中心として回転する板状の支持板を備えて、上記支持板は、前記スピーカ穴に合わせてエコーが形成できるようになる。
好ましくは、上記折り畳み式支持フレームの開閉に応じてスピーカの電源を制御するためのスイッチング機構が、上記スピーカ筐体に設けられている。
【０００９】
好ましくは、上記スイッチング機構は、上記スピーカ筐体と上記折り畳み式支持フレームの間に設置されている微型スイッチを備え、上記微型スイッチは前上記スピーカ構成部品に接続されている。
好ましくは、上記スイッチング機構は、上記スピーカ筐体と上記折り畳み式支持フレームの間に設置されているセンサユニットが備え、上記センサユニットは上記スピーカ構成部品に接続されている。
好ましくは、上記センサユニットとして、感光性センサ、磁気センサ、近接センサが挙げられる。
【発明の効果】
【００１０】
従来の技術と異なり、本発明に係るスピーカ付きタブレット用ケースは以下の利点を有している。
【００１１】
構造が簡単で持ち運びも容易である。
タブレットの表面に係合されているスピーカ筐体により、タブレットのタッチスクリーンが効果的に保護され、持ち運びの際に他の物との衝突が避けられるため、タッチスクリーンの損傷が防止できる。
スピーカ筐体に設置されているタブレットと通信接続しているスピーカ構造部品を利用して、タブレットにより再生オーディオとビデオの音量を増幅することが可能である。
【図面の簡単な説明】
【００１２】
【図１】本発明の一実施形態に係るスピーカ筐体の使用状態を示す図である。
【図２】本発明の他の実施形態に係るスピーカ筐体の使用状態を示す図である。
【図３】本発明の一実施形態に係るスピーカ付きタブレット用ケースの使用状態を示す図である。
【発明を実施するための形態】
【００１３】
本発明の技術的特徴、目的及び発明の効果が、より明確に理解されるように、図面を参照しながら、本発明を説明する。
【００１４】
図1は、本発明の実施形態に係るスピーカ付きタブレット用ケースを示している。当該スピーカ付きタブレット用ケースは、スピーカ筐体1を備え、スピーカ筐体1は、タブレット2の正面に係合し、タブレット2のタッチスクリーンが効果的に保護され、持ち運びの際に他の物との衝突が避けられるため、タブレット2のタッチスクリーンの損傷が防止できる。スピーカ筐体1に設置されているタブレット2と通信接続しているスピーカ構造部品（図示しない）を利用して、タブレット2により再生オーディオとビデオの音量を増幅することが可能である。スピーカ筐体1内に設けられているスピーカ構成部品は、Bluetooth、Wi-Fiなどの無線通信接続によりタブレット2と繋がるのも包含されると理解されるべきである。
【００１５】
本実施形態において、タブレット2を持ち運ぶ際、タブレット2のタッチスクリーンを保護するために、当該スピーカ付きタブレット用ケースをタブレット2の正面に係合して、タブレット2を使用する際、当該スピーカ付きタブレット用ケースを単独なスピーカとして利用し、タブレット2との通信接続により、タブレット2により再生オーディオとビデオの音量を増幅する。
【００１６】
具体的には、スピーカ筐体1をタブレット2に係合する係合部材11が、スピーカ筐体1に設けられている。係合部材11は、L字形状に設計された第1係合部111と第2係合部222を備えている。タブレット2がスピーカ筐体1の側縁から脱落することを防ぐため、第1係合部111は、タブレット2の側縁を押し付けるように、スピーカ筐体1の側縁に設置されている。第2係合部222は、タブレット2の背面を押し付けるため、タブレット2がその背面から脱落することを防止できる。第1係合部111は第2係合部222と合わせて、スピーカ筐体1をタブレット2に係合できるようになり、タブレット2がスピーカ筐体1から脱落することを防止できる。
【００１７】
更に、タブレット2が、持ち運びの際にスピーカ筐体1から脱落することをより確実に防ぐため、タブレット2の正面の周囲に第1磁性体（図示しない）が設けられ、スピーカ筐体1にも、第1磁性体に対応する位置に第１磁性体を吸引できる第2磁性体12が設けられている。第1磁性体は、磁性材料（例えば、磁石）により作られて、その磁性材料に適合した金属材料（例えば、鉄、コバルト、ニッケル及びその合金）により第2磁性体が作られ、磁性材料と金属材料の吸引によって、タブレット2をスピーカ筐体1に固定可能となる。逆に、上記金属材料がタブレット2の正面に設けられ、上記磁性体がスピーカ筐体1に設けられても良い。
【００１８】
スピーカの機能をより発揮させるため、複数のスピーカ穴13が、上記スピーカ筐体に配置されても良い。スピーカ構成部品の作動により音の振動が発生し、スピーカ筐体1の真後ろにある空気が移動し、スピーカ筐体1に設けられている複数のスピーカ穴13によりスピーカ筐体1の真後ろにある空気が追加できるようになるため、スピーカ構成部品が作動する際に、良好な周波数範囲に保って、スピーカの機能をより発揮できるようになる。エコーを形成するために、スピーカ穴13に対応する折り畳み式支持フレーム14が、スピーカ筐体1に配置されている。具体的には、当該折り畳み式支持フレーム14は、スピーカ筐体1に固定されているヒンジ141、及びヒンジ141を中心として回転する板状の支持板142を備えている。板状の支持板142が閉じる場合、スピーカ筐体1のスピーカ穴13には、空気が通らず、スピーカの効果が悪く周波数範囲も下がる。板状の支持板142が開いている状態で、支持板142とスピーカ穴13の間に隙間が存在し、空気は、スピーカ穴13を通過し、スピーカ筐体1の真後ろの支持板142との隙間に流動し、エコーが形成できるため、スピーカ構成部品により増幅された音の音質がよくなる。
【００１９】
スピーカ筐体1に設けられている折り畳み式支持フレーム14の開閉は、スピーカ構成部品の音の効果を有効にコントロールできる。このため、スピーカ筐体に折り畳み式支持フレーム14の開閉に応じてスピーカの電源を制御するスイッチング機構15が、スピーカ筐体1に設けられている。当該スイッチング機構15は、折り畳み式支持フレーム14が開いている場合、スピーカ構成部品の電源をスイッチ・オンにして、スピーカ構成部品を正常に作動させる。一方、折り畳み式支持フレーム14が閉じている場合、スピーカ構成部品の電源をスイッチ・オフにして、スピーカ構成部品の作動が停止される。
【００２０】
具体的には、スイッチング機構15は、スピーカ筐体と1折り畳み式支持フレーム14の間に設置されている微型スイッチを備え（図示しない）、微型スイッチはスピーカ構成部品に接続されている。当該微型スイッチは、ヒンジ141または折り畳み式支持フレーム14の板状支持板142がヒンジ141を中心として回転することを感知する位置に設置される。支持板142がヒンジ141を中心として回転して開く場合、微型スイッチによってスピーカ構成部品の電源スイッチをオンにして、支持板142がヒンジ141を中心として回転して閉じる場合、微型スイッチによってスピーカ構成部品の電源スイッチをオフにすることになる。
【００２１】
スイッチング機構15は、スピーカ筐1と上記折り畳み式支持フレーム14の間に設置されているセンサユニット（図示しない）を備え、センサユニットはスピーカ構成部品に接続されている。センサユニットとしては、感光性センサ、磁気センサ、近接センサ等が挙げられる。感光性センサを例とすると、支持板142がヒンジ141を中心として回転して開く場合、明るくなることを感光センサが感知して、スピーカ構成部品の電源スイッチをオンにする。一方、支持板142がヒンジ141を中心として回転して閉じる場合、暗くなることを感光センサが感知して、スピーカ構成部品の電源スイッチをオフにする。
【００２２】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【図１】
2015181232.tif 000003
【図２】
2015181232.tif 000004
【図３】
2015181232.tif 000005
【外国語明細書】
2015181232000001.pdf